(57)【要約】      （修正有）【課題】スポーツショートパンツ、下着、パジャマパンツに適した多機能インナーパンツ構造を提供する。【解決手段】パンツ本体１０の前部にパット部４０があり、パット部の底部には本体のまっすぐ下の部分と繋がれたゴムバンド４１があり、ゴムバンドはパット部を固定して引き留めるためのもので、パンツ本体のパット部内側には陰茎陰嚢構造があり、パット部はこの陰茎陰嚢構造を包み込むためのもので、陰茎陰嚢構造にはパンツ本体と繋がれた陰嚢収納部２０があり、陰嚢収納部の前部に陰茎収納部３０があり、その陰茎収納部の前端には前開き部３１が設けられている。【選択図】図２
0003228775.tif 000002
【実用新案登録請求の範囲】
【請求項１】
スポーツショートパンツ、下着、パジャマパンツに適した多機能インナーパンツ構造であって、パンツ本体から構成され、前記パンツ本体の前部にパット部があり、前記パット部の底部には本体のまっすぐ下の部分と繋がれたゴムバンドがあり、前記ゴムバンドは前記パット部を固定して引き留めるためのもので、前記パンツ本体のパット部内側には陰茎陰嚢構造があり、前記パット部はこの陰茎陰嚢構造を包み込むためのもので、前記陰茎陰嚢構造にはパンツ本体と繋がれた陰嚢収納部があり、前記陰嚢収納部の前部に陰茎収納部があり、その陰茎収納部の前端には前開き部が設けられていることを特徴とする。
【請求項２】
前記ゴムバンドは伸縮性を有することを特徴とする請求項1記載のスポーツショートパンツ、下着、パジャマパンツに適した多機能インナーパンツ構造。
【請求項３】
前記陰嚢収納部の前部に細い穴が設けられていることを特徴とする請求項２記載のスポーツショートパンツ、下着、パジャマパンツに適した多機能インナーパンツ構造
【請求項４】
前記陰茎陰嚢構造は一体化構造であることを特徴とする請求項1ないし3記載のスポーツショートパンツ、下着、パジャマパンツに適した多機能インナーパンツ構造
【請求項５】
前記陰茎陰嚢構造の素材は綿または桑絹であることを特徴とする請求項4記載のスポーツショートパンツ、下着、パジャマパンツに適した多機能インナーパンツ構造
【請求項６】
前記パンツ本体の素材は綿または桑絹であることを特徴とする請求項5記載のスポーツショートパンツ、下着、パジャマパンツに適した多機能インナーパンツ構造
【考案の詳細な説明】
【技術分野】
【０００１】
本実用新案は、メンズ服に関し、より詳しくは、ショートパンツおよびパジャマパンツのインナーパンツ構造に関する。
【背景技術】
【０００２】
人々の健康づくりへの意識の高まりにより、近年、生理的機能性を重視する人が増加傾向を見せている。男性ならではの生理的な構造により、陰嚢には様々な問題点が存在している。中でも長時間デスクワークが必要な人や長距離ランニングを日常とするアスリートの場合、陰嚢を長時間湿ったままの状態にすると、健康に影響を与えるおそれある。また、男性の場合、排尿後に残尿が発生することが多く、残尿が太ももや下着に付着すると蒸れが生じて男性の生理的機能の低下の原因になり得る。
【先行技術文献】
【特許文献】
【０００３】
【特許文献１】中国特許出願公開第201220334207.9号明細書では、陰嚢を収容する機能を持つダブル収納仕様の男性用下着を公開した。
【考案の概要】
【考案が解決しようとする課題】
【０００４】
パンツ本体の前方には陰茎収納部と陰嚢収納部があり、このうち陰嚢収納部の内側にはゴムバンドが設けられ、陰茎収納部と陰嚢収納部には開き部がそれぞれ設けられている。陰嚢収納部には陰嚢を持ち上げてぶら下がるのを防ぐためのゴムバンドがあり、陰嚢精索静脈瘤や前立腺疾患を予防と治療する効果が期待できる一方で、立ったり歩いたりしていると、陰茎と陰茎収納部の前開き部が擦り合い、場合によってはスムーズな排尿に支障をきたすおそれもある。
【課題を解決するための手段】
【０００５】
本実用新案は、着心地がよく、男性の生理的機能の向上に役立つスポーツショートパンツ、下着、パジャマパンツに適した多機能インナーパンツ構造を提供することを目的とする。
【０００６】
本実用新案におけるスポーツショートパンツ、下着、パジャマパンツに適した多機能インナーパンツ構造に採用された技術的手段は次の通りである。
【０００７】
スポーツショートパンツ、下着、パジャマパンツに適した多機能インナーパンツ構造であって、パンツ本体から構成され、パンツ本体の前部にパット部があり、パット部の底部には本体のまっすぐ下の部分と繋がれたゴムバンドがあり、ゴムバンドはパット部を固定して引き留めるためのもので、パンツ本体のパット部内側には陰茎陰嚢構造があり、パット部は陰茎陰嚢構造を包み込むためのもので、陰茎陰嚢構造にはパンツ本体と繋がれた陰嚢収納部があり、陰嚢収納部の前部に陰茎収納部があり、陰茎収納部の前端には前開き部が設けられている。
【０００８】
好ましい実施形態では、ゴムバンドは弾力性を有する。
【０００９】
好ましい実施形態では、陰嚢収納部の前部には細い穴が設けられている。
【００１０】
好ましい実施形態では、陰茎陰嚢構造は一体化構造である。
【００１１】
好ましい実施形態では、陰茎陰嚢構造の素材は綿または桑絹である。
【００１２】
好ましい実施形態では、パンツ本体の素材は綿または桑絹である。
【００１３】
本実用新案におけるスポーツショートパンツ、下着、パジャマパンツに適した多機能インナーパンツ構造のメリットは次のとおりである。男性が着用している間、陰茎が陰茎収納部に、陰嚢が陰嚢収納部にそれぞれ収められ、陰茎収納部と陰嚢収納部をパット部で包み込むことで意図せず露出するのを防ぐほか、パット部によって陰茎陰嚢が持ち上げられ、ぶら下がりを回避したことで、陰嚢精索静脈瘤や前立腺疾患の予防と治療にも役立っている。陰茎収納部と陰嚢収納部で男性の陰茎と陰嚢を包み込むことで、相互接触や太ももとの接触、さらに摩擦や汗蒸れによる不快感を防ぎ、股間を乾燥した状態にして細菌の繁殖を防いでいる。排尿したい時は、陰茎をパット部の左右から取り出し、陰茎収納部の前端にある前開き部から排尿する。排尿後、パット部に戻すことで、残尿が陰嚢に付着するのを防ぎ、これにより陰茎陰嚢を快適に保ち、男性の生理的機能の向上が期待できる。
【図面の簡単な説明】
【００１４】
【図１】本実用新案のスポーツショートパンツ、下着、パジャマパンツに適した多機能インナーパンツ構造を示す図である。
【図２】本実用新案のスポーツショートパンツ、下着、パジャマパンツに適した多機能インナーパンツ構造のパット部を捲り上げ状態を示す図である。
【図３】本実用新案のスポーツショートパンツ、下着、パジャマパンツに適した多機能インナーパンツ構造を側面から見たときの状態を示す側面図である。
【考案を実施するための形態】
【００１５】
本実用新案を具体的な実施例と説明書の図面を参照して詳しく説明する。
図１ないし図３に示すように、スポーツショートパンツ、下着、パジャマパンツに適した多機能インナーパンツ構造にはパンツ本体１０があり、パンツ本体１０の前部にパット部４０があり、パット部４０の底部にはパンツ本体10のまっすぐ下の部分と繋がれたゴムバンド４１があり、ゴムバンド４１は、パット部４０を固定して引き留めるためのもので、ゴムバンド４１はどんな体格の人でも快適に着られるよう、ある程度の弾力性を有する。
【００１６】
パンツ本体１０のパット部４０内側には陰茎陰嚢構造があり、パット部40は陰茎陰嚢構造を包み込むためのもので、陰茎陰嚢構造にはパンツ本体10と繋がれた陰嚢収納部20があり、陰嚢収納部20の前部には陰茎収納部３０があり、陰茎収納部30の前端には前開き部31が設けられている。陰茎収納部30の長さは通常の状態にある陰茎よりも短く、これにより陰茎頭部が前開き部31から露出し、陰茎頭部の通気性が向上し、より乾燥した環境が保たれる。また、陰茎陰嚢構造を一体化することで、着心地を高めている。陰嚢収納部20の前部には陰嚢部の通気性を高め、乾燥した環境を保つための細い穴が設けられている。
【００１７】
陰茎陰嚢構造とパンツ本体１０の素材はいずれも綿または桑絹で、着心地がよく、商品の通気性を確実に高めることができる。
【００１８】
本実用新案におけるスポーツショートパンツ、下着、パジャマパンツに適した多機能インナーパンツ構造のメリットは次のとおりである。男性が着用している間、陰茎が陰茎収納部30に、陰嚢が陰嚢収納部20にそれぞれ収められ、パット部40で陰茎収納部30と陰嚢収納部20を包み込むことで意図せず露出するのを防ぐほか、パット部40によって陰茎陰嚢が持ち上げられ、ぶら下がりを回避したことで、陰嚢精索静脈瘤や前立腺疾患の予防と治療にも役立っている。陰茎収納部30と陰嚢収納部20で男性の陰茎と陰嚢を包み込むことで、相互接触や太ももとの接触、さらに摩擦や汗蒸れによる不快感を防ぎ、股間を乾燥した状態にして細菌の繁殖を防いでいる。排尿したい時は、陰茎をパット部40の左右から取り出し、陰茎収納部30の前端にある前開き部31から排尿する。排尿後、パット部40に戻すことで、残尿が陰嚢に付着するのを防ぎ、これにより陰茎陰嚢を快適に保ち、男性の生理的機能の向上が期待できる。
【００１９】
なお、上記の実施例は、本実用新案の技術的保護範囲を画するものでなく、本実用新案の技術的解決策を説明するためだけのものであることに留意されたい。好ましい実施形態を用いて本実用新案を詳しく説明したものの、本分野の一般技術者は、本実用新案の技術的解決策の本質および範囲から逸脱することなく、本実用新案の技術的解決策を変更または同等に置き換えることができることを理解されたい。
【符号の説明】
【００２０】
１０  パンツ本体
２０  陰嚢収納部
３０  陰茎収納部
３１  前開き部
４０  パット部
４１  ゴムバンド
【図１】
0003228775.tif 000003
【図２】
0003228775.tif 000004
【図３】
0003228775.tif 000005
【手続補正書】
【提出日】令和2年8月6日(2020.8.6)
【手続補正１】
【補正対象書類名】実用新案登録請求の範囲
【補正対象項目名】全文
【補正方法】変更
【補正の内容】
【実用新案登録請求の範囲】
【請求項１】
スポーツショートパンツ、下着、パジャマパンツに適した多機能インナーパンツ構造であって、パンツ本体から構成され、前記パンツ本体の前部にパット部があり、前記パット部の底部には本体のまっすぐ下の部分と繋がれたゴムバンドがあり、前記ゴムバンドは前記パット部を固定して引き留めるためのもので、前記パンツ本体のパット部内側には陰茎陰嚢構造があり、前記パット部はこの陰茎陰嚢構造を包み込むためのもので、前記陰茎陰嚢構造にはパンツ本体と繋がれた陰嚢収納部があり、前記陰嚢収納部の前部に陰茎収納部があり、その陰茎収納部の前端には前開き部が設けられていることを特徴とするスポーツショートパンツ、下着、パジャマパンツに適した多機能インナーパンツ構造。
【請求項２】
前記ゴムバンドは伸縮性を有することを特徴とする請求項1記載のスポーツショートパンツ、下着、パジャマパンツに適した多機能インナーパンツ構造。
【請求項３】
前記陰嚢収納部の前部に細い穴が設けられていることを特徴とする請求項２記載のスポーツショートパンツ、下着、パジャマパンツに適した多機能インナーパンツ構造。
【請求項４】
前記陰茎陰嚢構造は一体化構造であることを特徴とする請求項1ないし3記載のスポーツショートパンツ、下着、パジャマパンツに適した多機能インナーパンツ構造。
【請求項５】
前記陰茎陰嚢構造の素材は綿または桑絹であることを特徴とする請求項4記載のスポーツショートパンツ、下着、パジャマパンツに適した多機能インナーパンツ構造。
【請求項６】
前記パンツ本体の素材は綿または桑絹であることを特徴とする請求項5記載のスポーツショートパンツ、下着、パジャマパンツに適した多機能インナーパンツ構造。